(57)【特許請求の範囲】
【請求項１】
導電性ブラシを被帯電体に当接させて帯電させるブラシ帯電装置において、
前記導電性ブラシの毛先と前記被帯電体の表面とが接触している領域のうち、被帯電体移動方向上流側の部分に光を照射して、前記被帯電体の帯電と除電を同時に行うようにしたことを特徴とするブラシ帯電装置。
【発明の詳細な説明】
【０００１】
【発明の属する技術分野】
本発明は、例えば電子写真装置等に係るブラシ帯電装置に関する。
【０００２】
【従来の技術】
従来、電子写真の帯電装置としては、スコロトロンを用いたコロナ放電器が主流であった。しかしコロナ帯電は放電現象を利用するため、特にマイナス帯電では人体に有害なオゾンを多量に発生する。また、印加電圧が−４〜−５ｋｖと比較的高く、電流もほとんどがケースに流れてしまうため、エネルギーロスが大きいという欠点があった。近年ではコロナ帯電にかわり、オゾンがほとんど発生しない接触帯電技術が進歩している。その代表的なものが導電性ローラを用いたローラ帯電方式とブラシ帯電方式である。両者とも、オゾン発生量はコロナ帯電器の１００分の１以下であると言われ、また印加電圧も−１ｋｖ程度と比較的低く、電流もケースに流れることがないのでロスも少ない。
【０００３】
【発明が解決しようとする課題】
しかし、ロ−ラ帯電方式は、トナーや紙粉などのゴミに弱く、それがすぐに帯電むらとなって画像に現れてしまう。また導電性ローラ自体の値段を考えてもコスト的に不利である。一方ブラシ帯電器は、ローラよりはトナーや紙粉などの汚れに強く、また値段も安いことから小型で安価な装置において有効な帯電手段である。しかし、ブラシ帯電器はその形状故、複写械、プリンタなど、特に反転現像方式を用いた電子写真プロセスにおいてハーフトーンを印字すると、被帯電体の面移動方向にそって、白筋が多数発生してしまう。マイナス帯電の反転現像方式において白筋になるのは、被帯電体の表面電位が局部的にマイナス側に高くなっていることを意味している。これはブラシ特有の帯電むらで、固定型の導電性ブラシでは特に顕著である。固定型のブラシは、基盤に導電性の接触子を植毛したもので、金属細線や導電性繊維が知られているが、後者の方が一般的で、柔軟なレーヨンやナイロンにカーボンを分散させた繊維が主流である。そしてそのブラシ表面は、一般に平面状のものが多い。一方それに接触する被帯電体面は、ドラムを使用する場合は曲率をもった面となる。すなわち平面状のブラシを曲率を持った被帯電体面に当接させることで、ブラシ毛が均一に被帯電体面に当接せず、それが異常な帯電状態をつくりだし、電位が局部的にマイナス側に高くなって筋を増やす要因になっているのである。そして、その問題を解決するためには、ブラシ自体に被帯電体とほぼ同じ曲率を与えて、毛先が被帯電体表面に均一に当接するようにすればよいが、製造上難しく生産コストを考慮すると量産に適した方法が知られていない。
【０００４】
本発明は、このような課題を解決するためのもので、簡単にブラシ帯電器特有のハーフトーンの白筋の発生を減少させることのできるブラシ帯電装置の提供を目的とする。
【０００５】
【課題を解決するための手段】
上記目的を達成するために、本発明のブラシ帯電装置は、導電性ブラシを被帯電体に当接させて帯電させるブラシ帯電装置において、前記導電性ブラシの毛先と前記被帯電体の表面とが接触している領域のうち、被帯電体移動方向上流側の部分に光を照射して、前記被帯電体の帯電と除電を同時に行うようにしたことを特徴とする。ここで、被帯電体が光導電体であれば、除電手段として例えば除電光を用いる。
【０００８】
【作用】
したがって、本発明によれば、画像形成装置特有の帯電むらによる白筋の発生を減少させることが可能となる。
【０００９】
【発明の実施の形態】
以下、この発明の実施の形態を図面に基づいて説明する。
図１（ａ）は、ブラシの製造過程において、ブラシの毛先をカットする方法である。ブラシの毛の材質はレーヨンにカーボンを分散させたものやナイロンなどがあげられ、それら繊維は導電性の基布に縫い付けられた状態になったところで、仕上げ工程として、ブラシ表面のカットを行う。そこで、導電性の繊維１を植毛された基布２は、基布側の面から、ブラシ帯電器が被帯電体表面に当接する部分での被帯電体表面とほぼ同じ曲率を持った部材３にセットされる。そして図１（ｂ）のように、カッター４で水平に毛先をカットすることにより、導電性繊維１はそれぞれ所定の長さにカットされる。その後、ブラシを曲率部材３から取り外し、基布をもとの水平な状態に戻すと、図１（ｃ）のようにブラシ毛は取り付けてあった曲率部材とは反対方向の曲率にカットされる。すなわち、きわめて簡単な方法で、被帯電体とほぼ同曲率のブラシ面のカットがおこなえるわけである。また、このときに得られる導電性繊維の先端面の曲率は、支持部材３の曲率よりも繊維の長さ分だけ大きくなるので、支持部材の曲率を、被帯電体曲率よりも若干小さく設定してやることで、さらに被帯電体に近い曲率の導電性繊維面をつくることができる。
【００１０】
また、ブラシ製造方法におけるブラシ毛のカット工程では、多くの場合、図２（ａ）のように金属などでできたドラム５に、支持部材３を設けその上に繊維１を植毛済みの基布２を取付け、ドラム５を回転させることで、ドラム５の外側に設置されたカッター４により導電性繊維をカットし、ほぼ平坦なブラシ面を得ていた。しかし、この方法では、ブラシカット面は、厳密には凸型になってしまい、これではブラシの毛先が被帯電体表面に対して均一に当接することは望めない。そこで、毛先のカット工程において、図２（ｂ）に示すように、繊維１を植毛済みの基布２を支持部材３を両側に設けたドラム５の内側に取付け、ドラム５を回転させ、ドラム５の内側に設置したカッター４により毛先をカットすることにより、導電性繊維面を凹型にする。またさらにここで、繊維１を植毛済みの基布２を取り付ける支持部材３をドラム５とは反対の曲率にすることで、導電性繊維面の曲率を大きくすることができ、被帯電体表面とほぼ同曲率のブラシ面を得ることが可能となる。同様に図２（ａ）においても、支持部材３の曲率を大きくすることで同じ効果が得られる。また円筒形ドラムではなくガターを回転させることでも同様な効果が得られることは言うまでもない。
【００１１】
続いて、導電性繊維面を凹型にカットすることなく、同じような効果を得る方法について説明する。ブラシ帯電におけるハーフトーン画像での白筋の原因のひとつに、被帯電体表面に対する繊維の毛先の当接状態が大きく影響していることは既に述べた。これまでの帯電ブラシは、図３（ａ）に示すように、導電性繊維の表面が平面状になっていて、それを曲率を持った被帯電体表面に所定の食い込み量をもって当接させると、図３（ｂ）に示すように、導電性繊維１と被帯電体７との接触域で、被帯電体の面移動方向の上流側の毛先が被帯電体の回転に対して逆毛立った状態になってしまう。この状態で、反転現像方式の電子写真プロセスを用いてハーフトーンの画出しをおこなうと、白筋が多数発生し、特にブラシ帯電器を被帯電体に当接したまま放置した後に印字を行うと白筋が顕著である。白筋が発生するのはおもに多湿環境（ＲＨ８５％）と、低湿環境（ＲＨ２０％）で、多湿では連続的な白筋になり、低湿では短い鋭い白筋となる。低温環境における白筋の発生を防ぐには被帯電体へのブラシ繊維の食い込み量をできるだけ小さくすると効果がある。被帯電体表面と同じ曲率を持ったブラシ帯電器は、食い込み量を接触幅全域において小さく安定させることができ、さらに見かけの繊維密度も上昇するため、筋の減少に効果が得られる。またこの白筋は、ブラシ帯電器を被帯電体表面に当接した後の最初の数十枚の印字で特に顕著である。これは逆毛立った繊維が被帯電体の回転により面移動方向の下流側になびこうとするために生じると思われ、数百枚印字した後では目立たなくなる。そこで、初期状態における逆毛立った状態の繊維をなくすため、固定型導電性ブラシの繊維を、毛先が被帯電体７の面移動方向に対して順方向に一様になびくように、予め斜毛処理した。斜毛角度は、図４（ａ）に示すように、被帯電体７の面移動方向に対して一番上流側の繊維が、被帯電体表面と当接するときに、被帯電体７の面移動方向の下流側になびけばよい。すなわち図４（ａ）において、基布とブラシ繊維とのなす角をθ1、被帯電体の半径をａ、ブラシの毛の長さをｂ、被帯電体の中心からブラシ面に引いた垂線とブラシ基布との交点からブラシの被帯電体上流側の端部との距離、いわゆる上流側のブラシの植毛幅をｃのしたとき、ｃｏｓθ1＞ｃ／（ａ＋ｂ）のような関係を満たせばよい。これによって図４（ｂ）に示すように、ブラシ毛は被帯電体７の面移動方向の下流側に揃ってなびくことになり、逆毛立つ繊維は存在しなくなる。実験では、斜毛処理をおこなわないブラシに比べ、放置後の低湿での白筋が著しく減少することが確認できた。この斜毛処理の方法であるが、図５（ａ）のように、円筒形の容器８と、それよりも小さい径の円柱状の部材９の間に導電性繊維１を植毛した基布２を挟み込み、両部材のうちのどちらか、または両方を回転させることで可能である。また図５（ｂ）に示すように、固定型導電性ブラシに斜毛する上流側から徐々に板状の部材１０を押し当てることによっても可能である。
【００１２】
また、ブラシ繊維自体を斜毛処理や曲率カットせずにすむ方法としては、次のようなものがあげられる。これは図６（ａ）に示すように、導電性繊維１の植毛された基布２を、被帯電体表面の湾曲に沿うような方向に１箇所以上に角度を持たせた支持部材６に取り付けるということで、この方法によれば、製造上問題となる曲率にカットや、斜毛処理などを必要しない。
【００１３】
図６（ａ）において、被帯電体７の半径をａとして、ブラシの繊維の長さをｂ、ブラシ支持部材の角度θ2の頂点から、ブラシの被帯電体７の面移動方向の上流側への幅をｄとしたとき、その一番端の毛先が、被帯電体の面移動方向の下流側になびくように角度θ2を設定する。すなわち、ｔａｎθ2＜（ａ＋ｂ）／ｄを満たすようにθ2の値を規定することによって、ブラシの毛先が被帯電体表面に対して、逆毛立って当接することがない。これによってブラシの上流側で逆毛立って被帯電体に当接する毛先がなくなり、低湿の初期状態における白筋が減少する。また、この方法によると、図６（ｂ）に示したように、導電性繊維１と被帯電体との接触域の上流側の部分の繊維の被帯電体に対する食い込み量が密度が大きくなるため、少ない帯電幅で安定した帯電が可能になる。そしてまた、このようなブラシ帯電器は、電子写真装置において使用する場合には、図７に示すようにプロセスカートリッジの一部分にあらかじめ角度を設けておき、そこにブラシ帯電器を基布ごと取り付けることで簡単につくることも可能である。このような方法においても、放置後に印字したハーフトーンの白筋は著しく減少した。
【００１４】
また、これまでのブラシと、ブラシ支持部材を用いても、白筋を減少させることが可能である。これはまず、前記したような従来のブラシ帯電装置において、導電性ブラシが被帯電体表面と最初に当接するブラシ上流側においてのみ、帯電と同時に除電をおこなうことによって可能となる。白筋の原因にブラシ上流側での、はみ出し毛が影響していることは既に説明した。そこで特に電子写真方式を用いた装置においては図８に示すように、帯電部の前段に存在する除電ランプ１２による除電光を故意にブラシ前半部分にも照射し、ブラシ上流部分の帯電を除電してしまう。図８はそのように加工した電子写真方式のプロセスカートリッジの例である。ここでブラシ繊維１は基布２に高密度に植毛され、また通常は黒色であるため、除電ランプ１２による除電光は、ブラシ帯電器の内側に入ってくることなく、ブラシ上流側を除いた部分で良好な帯電が行われる。それによってブラシ上流側での帯電ムラは減少する。
【００１５】
次に、同じように従来のブラシ帯電器を用いて白筋を減少させる別方法について説明する。それは、固定型のブラシを帯電器として使用した画像形成装置で、ブラシ帯電器をあらかじめ被帯電体表面に当接しておいて、装置の電源投入後、装置使用前に被帯電体を数分間ブラシに対して面移動させ、ブラシ繊維に予め一定方向の癖をつけてから使用するというものである。また、そのときにブラシに所定のバイアスを印加するとさらに効果がある。
【００１６】
実験では、解像度３００dpi 、印心速度８枚／分の反転現像方式のレーザプリンタを使用した。被帯電体はマイナス帯電の有機感光体ドラムを使用している。ブラシ帯電器は、レーヨンにカーボンを分散させた繊維を使用し、ブラシ全体の抵抗値は１０5 Ω程度である。低湿環境において、新しい固定ブラシ帯電器で初期から印字したもの、また１２分間（約１００枚分）通紙せずに、通電もしないで感光体を回転させた後に網点面積率５０％のハーフトーン画像を印字したもの、そして、ブラシに−０．５〜−１．３ｋｖの定電圧バイアスを印加しながら１２分間、通紙せずに感光体を回転させたもののハーフトーン画像における白筋の状態を示す。また、これまでの説明で紹介した、被帯電体に曲率を合わせたブラシ帯電器や、斜毛処理をおこなったブラシ、除電光をブラシ上流側に故意に照射したブラシについての結果も同時に比較すると次表のようになる。
【００１７】
【表１】
0003667733.tif 000002
ブラシの幅は全て９mm、繊維の長さは４mmである。感光体に対する食い込み量は、食毛したブラシ繊維全面が感光体に当接する範囲で、できるだけ浅く設定した。感光体径は３０mmφである。これによると、感光体と同曲率の部材に取り付けたブラシを使用すると白筋が少ないが、普通のブラシに通電しながら約１００枚分通紙せずに感光体を回転させた後に印字をおこなうだけでも、ほぼ同じように白筋が減少することがわかる。また、ブラシに通電処理をおこなわなくても、ある程度白筋が減少することがわかる。すなわち、固定ブラシに対して感光体表面を当接して、予め数分間回転させてやることで、ブラシ毛に一定方向に癖がつき、斜毛処理した場合と同じような効果が得られるわけである。通電するバイアスについては、０．５ｋｖ以下では通電処理しない場合と大差は見られなかったが、０．８ｋｖ以上では、白筋がさらに減少した。通常使用するバイアスは−１．０ｋｖ程度なので、通常のおよそ８割以上の電圧を通電すると、白筋減少に効果が見られる。
【００１８】
斜毛処理をおこなったブラシについては、斜毛角度の条件内に入っていると筋が少なく、範囲外の条件では前者と比較すると白筋が多い。また角度をつけた部材に取り付けたブラシについても同様で、条件の範囲に入っているものは、筋が減少するが、範囲外のものは範囲内のものに比べると筋が多く発生する。しかし、いずれも、なにも対策を施さなかったブラシの初期状態に比べると明らかに白筋が少なくなった。また除電光をブラシ上流側に照射したブラシ帯電器においても、無対策のものに比べて白筋が少なく、効果が見られた。
【００１９】
次に、ブラシ繊維を被帯電体に均一に当接させる以外にも、白筋を減少させる方法がある。これはブラシ帯電器に、直流に加えて、被帯電体が一様に収束帯電を開始する電圧未満の交流バイアスを重畳するというものである。これについても前記した反転現像方式のレーザプリンタを例にあげて説明する。被帯電体はマイナス帯電の感光体ドラムであり、帯電はマイナス側に行われ、感光体の表面電位がマイナス側に高ければ画像上では白くなり、プラス側に近ければ画像上では黒くなる。ここではマイナス側の電圧が高いほど、電位が高い、大きい、という表現を用いて説明する。
【００２０】
ブラシ帯電器に直流バイアスを印加していくと、図９のようになる。これによると、感光体の表面電位はブラシ印加電圧が−５００ｖ程度になったところで突然上昇し初め、ほぼ直線的に上昇し、ブラシ帯電器に−１０００ｖ印加したときには感光体はおよそ−５００ｖに帯電する。すなわち、感光体の帯電が開始するときのブラシ印加電圧は−５００ｖ程度で、感光体はブラシ帯電器とこの程度の電位差があって、はじめて帯電し、その電位差はブラシ印加電圧が変化してもほぼ一定に保たれる。そしてこれは放電現像に特有な性質である。さらにブラシ帯電においても、帯電器の極近傍からは微量のオゾンが発生（コロナ法電気の約１０-3）しており、ブラシ帯電においても放電による帯電が支配的であると考えられる。ここで白筋というのは、ブラシ帯電器のなかの不良な繊維やムダ毛などによる通常の放電によらない帯電現像により、表面電位が他の部分に比べて局所的に高くなってしまった部分であることは既に説明した。そして直流バイアスのみでは一度高くなってしまった表面電位はもう下げることができない。
【００２１】
次に、直流バイアスを−５００ｖに固定して、そこに交流バイアスを徐々に重畳していくと感光体の表面電位は図１０のように変化する。図１０によると、交流電圧が４００ｖ程度までは、表面電位は一定の傾きで上昇する。そしてこのときの表面電位は、直流のみで、直流に交流を重畳したときの電圧の極大値をブラシ帯電器に印加したときの値にほぼ等しくなっている。直流のみで帯電させたときの感光体の表面電位を点線で示す。しかし交流電圧が４００ｖを越えるとその傾きは非常に小さくなり、徐々には上昇していくものの、いわゆる収束域にはいる。ここで、収束帯電域の領域内である交流電圧が６００ｖの場合のブラシ印加バイアスと感光体の表面電位の概念図を第１１図に示す。第１１図によれば、ブラシバイアスの極大値はおよそ−１３４０ｖ（−５００−６００×１．４）であり、感光体はそのとき、印加バイアスとおよそ５００ｖの差を持って−８００ｖ程度に帯電する。一方、ブラシバイアスの極小値はおよそ＋３４０ｖ（−５００＋６００×１．４）となり同様な理論から感光体は−１５０ｖ程度に帯電する。すなわち、プラス方向とマイナス方向の放電による帯電が、ブラシ帯電器と感光体とが接触している全域に渡って繰り返して行われることになる。そして最終的な感光体の表面電位は、結局のところブラシ帯電器が感光体と最後に当接していた部分におけるブラシバイアスによって決定される。ブラシ帯電器が感光体と離れる最下流側では、ブラシ繊維は感光体の軸方向に沿って完全な直線状態にはなっておらず、場所によってはみ出した繊維が存在している。すなわち表面電位はそれら繊維の影響を受け、−１５０〜−８００ｖの範囲に散らばってしまい均一になることはない。そのような条件でハーフトーン画像を印字しても、表面電位の高い部分は白くなり、低い部分は黒くなり良好な画像が得られない。
【００２２】
一方、図１０において傾きが大きい直線部分、つまり収束域未満の領域である交流電圧が３５０ｖの場合は第１２図のようになる。第１２図は直流電圧−５５０ｖに交流電圧３５０ｖを重畳させた場合で、これによれば、ブラシバイアスの極大値は−１０４０ｖ（−５５０−３５０×１．４）であり、このとき感光体はおよそ−５５０に帯電する。そこにブラシバイアスの極小値である−６０ｖが印加されても感光体との電位差が既におよそ５００ｖ程度で、ほとんどプラス側への放電が発生しない。すなわち、ブラシバイアスが極大値のときに帯電された感光体の表面電位が、ブラシと被帯電体が当接している間にほとんど変化せずそのまま保存され、最終的な電位は−５５０ｖ程度に収束する。つまり直流のみをブラシ帯電器に印加した場合と同じように、適当な表面電位に帯電した部分の電位は下げられることない。図１０で示した交流電圧が４００ｖ未満の領域というのは、プラス側の放電による帯電が発生しない、いわゆる交流電圧が、感光体が収束帯電を開始する未満の領域なのである。ここで白筋部分について考えると、白筋というのは、表面電位が局所的に高くなっている部分なので、白筋部分のみがブラシバイアスの極小値のときに電位差が５００ｖ、ここでいう放電開始電圧を越えることになる。そしてプラス側に放電され電位が下がり、電位差５００ｖになるところで落ちつくことになる。すなわち白筋部分だけが電位が下がり筋が減少する。また、もしもこのとき通常の放電によらない帯電がプラス側に発生し、表面電位が低い部分が発生したとしても、その後に極大値である−１０４０ｖが印加されたときに正常な電位に復活する。つまりブラシ最下流側で、そのような異常な帯電が発生しさえしなければ帯電ムラになることはなく、白筋は勿論のこと、黒筋が増加するようなこともほとんどない。
【００２３】
実際にレーザプリンタを用いてハーフトーン画像を印字して評価した結果を次に示す。環境は高温多湿で、ブラシ帯電器は従来タイプの新品を使用し、バイアスを各種かえて実験をおこなった。プリンタは上述した方式のものを使用し、ブラシ帯電器を取り付けてから５枚目の画像を評価した。
【００２４】
【表２】
0003667733.tif 000003
直流に対して重畳する交流バイアスは実験に使用したブラシ帯電器の場合、３００ｖ〜４００ｖが適正であった。つまり感光体が収束帯電を開始する直前の条件がよい。これは図７における帯電開始電圧の−５００ｖとは少しばかり食い違っている。これは白筋部分の帯電開始電圧も、表面電位に含まれて測定されてしまうためで、実際のところ白筋部分は通常の放電以外の帯電によって、帯電開始電圧がプラス方向に２００ｖ程度シフトしている。収束帯電が開始する直前の領域というのは、すなわち図１０において、直線の傾きが変化する直前部分であり、この領域において白筋減少に大きな効果が見られるのである。これはつまり、筋部分以外の領域を、放電によって電位が下げられるほぼ境界の電位にすることで、わずかに電位が上昇している微妙な白筋部分さえもプラス側の放電により減少することができるためである。
【００２５】
また周波数に関しては、ブラシの周波数の追従性に関係してくるが、実験をおこなったブラシでは１００Ｈｚ〜８００Ｈｚが適正値であった。ブラシの周波数を２００Ｈｚにまで低くすると、ブラシ中にわずかに混在する不良な繊維やムダ毛などの影響により電位が高くなる部分が、筋状にはらずに網点状になる。そして電位の高い網点部分どうしの間の領域は正常な表面電位になり、結果的に電位の高い白筋部分の面積は減少することになる。また、網点状になるため筋などの帯電ムラが肉眼ではとらえにくくなる。そして結果的には筋自体が目立たなくなる。しかし、周波数が高くても効果がないわけではなく、白筋は直流バイアスのみを印加したときと比べてかなり減少しいている。
【００２６】
このように、適正な交流バイアスを直流バイアスに重畳することによって、感光体表面上に局所的に電位が高い部分がなくなる。すなわち、低湿環境における白筋に加えて、多湿環境で発生した連続的な白筋をも大幅に減少させることができる。
【００２７】
【発明の効果】
本発明により、固定型の導電性ブラシ帯電器に特有の帯電むらによる、ハーフトーン画像上の白筋を減少させることができる。
【図面の簡単な説明】
【図１】（ａ）、（ｂ）、（ｃ）はそれぞれ本発明のー実施例のブラシカットの順序を示す模式図。
【図２】（ａ）は比較のため示した従来のブラシカットの一例を示す模式図、（ｂ）は本発明のー実施例のブラシカット法の模式図。
【図３】（ａ）、（ｂ）は比較のため従来の固定ブラシの当接状態を示す模式図。
【図４】（ａ）、（ｂ）は前記実施例において施される斜毛処理条件を示す模式図。
【図５】（ａ）、（ｂ）は前記斜毛処理の方法のー例の模式図。
【図６】（ａ）、（ｂ）はブラシを角度をなす部材にとりつけた場合の状態を示す模式図。
【図７】角度をなす部材がプロセスカートリッジの一部である実施例の正面図。
【図８】プロセスカートリッジの他の実施例の正面図。
【図９】直流バイアス印加時の固定ブラシの帯電特性を示す線図。
【図１０】直流バイアスに交流バイアス重畳印加時の固定ブラシの帯電特性を示す線図。
【図１１】直流５００Ｖに交流６００Ｖを重畳印加した場合の概念図。
【図１２】直流５５０Ｖに交流３５０Ｖを重畳印加した場合の概念図。
【符号の説明】
１…ブラシ、２…ブラシ基布、３…支持部材、４…カッター、５…ドラム、 ６…ブラシ支持部材、７…被帯電体、８…円筒ドラム、９…円筒ドラム、１０…押さえ板、１１…プロセスカートリッジ、１２…除電ランプ。
【図１】
0003667733.tif 000004
【図２】
0003667733.tif 000005
【図３】
0003667733.tif 000006
【図４】
0003667733.tif 000007
【図５】
0003667733.tif 000008
【図６】
0003667733.tif 000009
【図７】
0003667733.tif 000010
【図８】
0003667733.tif 000011
【図９】
0003667733.tif 000012
【図１０】
0003667733.tif 000013
【図１１】
0003667733.tif 000014
【図１２】
0003667733.tif 000015